(57)【要約】【課題】  美容器具内部に配置される電気部材の損傷を防止することを可能とする美容器具およびその製造方法を提供することを目的とする。【解決手段】  この美容器具は、支持部材１０と、支持部材１０の表面から突出する凸部２１を有するパッド２０と、支持部材１０とパッド２０とを固着する結合部材３０とを備える。結合部材３０は、支持部材１０と対応する下部金型７１とパッド２０と対応する上部金型７２とにより構成されるインサート金型を利用したインサート成形により形成される。この結合部材３０は、支持部材１０、パッド２０、超音波振動子４０をインサート成形金型内に配置した後、インサート成形金型内に樹脂を注入することにより形成される。【選択図】        図８
2006068381.tif 000002
【特許請求の範囲】
【請求項１】
人体に対して振動を付与することにより美容効果を奏せしめる美容器具において、
支持部材と、
前記支持部材との間に外部から遮蔽された空間が形成されるように配置され、前記支持部材の表面から突出する凸部を有するパッドと、
前記支持部材と前記パッドとにより形成された空間内に配置される振動部材と、
前記支持部材、前記パッド、および、前記振動部材をインサート成形金型内に配置した後、インサート成形金型内に樹脂を注入することにより形成された、前記支持部材と前記パッドとを固着する結合部材と、
を備えることを特徴とする美容器具。
【請求項２】
請求項１に記載の美容器具において、
前記振動部材は、前記パッドに付設された超音波振動子である美容器具。
【請求項３】
請求項１または請求項２に記載の美容器具において、
前記支持部材は、金属材料からなり、前記結合部材との接触面に凹部または凸部が形成される美容器具。
【請求項４】
支持部材と、前記支持部材との間に外部から遮蔽された空間が形成されるように配置され、前記支持部材の表面から突出する凸部を有するパッドと、前記支持部材と前記パッドとにより形成される空間内に配置される振動部材と、前記支持部材と前記パッドとを固着する結合部材とを備える美容器具の製造方法において、
前記支持部材、前記パッド、および、前記振動部材をインサート成形金型内に配置する配置工程と、
前記インサート成形金型を閉じた状態で、当該インサート成形金型内に溶融した樹脂を注入することにより前記結合部材を形成する形成工程と、
を備えることを特徴とする美容器具の製造方法。
【発明の詳細な説明】
【技術分野】
【０００１】
この発明は、人体に当接させて人体に対して振動を付与することにより美容効果を奏せしめる美容器具およびその製造方法に関する。
【背景技術】
【０００２】
このような美容器具として、特許文献１に記載されるような美容器具が知られている。この特許文献１に記載される美容器具は、超音波振動を発生する「超音波振動子」と、超音波振動子を接合して超音波振動子による振動を外方に放射する「ホーン」と、ホーンの先端を突出して配置する「把持部」と、ホーンと把持部とを固定する「弾性材」とを備える。通常、このような美容器具を使用する場合には、美容処理剤等の流動体を塗布した人体に当接させて、人体に対して振動を付与する。この特許文献１に記載の美容器具によれば、超音波振動を安定して放射することが可能となる。
【特許文献１】特開２００３−２７５６８４号公報
【発明の開示】
【発明が解決しようとする課題】
【０００３】
このような、内部に電子部材を配置する美容器具においては、人体に塗布した美容処理剤等の流入により内部に配置される電子部材を損傷させないために、内部の電子部材を外部から保護する必要がある。しかしながら、特許文献１に記載の美容器具は、「ホーン」と「把持部」とが「弾性材」により固定されているのみである。このため、特許文献１に記載の美容器具によって、「ホーン」と「把持部」とにより形成される空間内への美容処理剤等の流動体の流入を防止できる程度の液密性を担保することは困難である。そして、特許文献１に記載の美容器具は、このような流動体の流入により「ホーン」に接合される「超音波振動子」を損傷する危険性を有する。
【０００４】
このため、この発明は、以上のような課題を解決するためになされたものであり、美容器具内部に配置される電気部材の損傷を防止することを可能とする美容器具およびその製造方法を提供することを目的とする。
【課題を解決するための手段】
【０００５】
請求項１に記載の発明は、人体に対して振動を付与することにより美容効果を奏せしめる美容器具において、支持部材と、前記支持部材との間に外部から遮蔽された空間が形成されるように配置され、前記支持部材の表面から突出する凸部を有するパッドと、前記支持部材と前記パッドとにより形成された空間内に配置される振動部材と、前記支持部材、前記パッド、および、前記振動部材をインサート成形金型内に配置した後、インサート成形金型内に樹脂を注入することにより形成された、前記支持部材と前記パッドとを固着する結合部材とを備えることを特徴とする。
【０００６】
請求項２に記載の発明は、請求項１に記載の美容器具において、前記振動部材は、前記パッドに付設された超音波振動子である。
【０００７】
請求項３に記載の発明は、請求項１または請求項２に記載の美容器具において、前記支持部材は、金属材料からなり、前記結合部材との接触面に凹部または凸部が形成される。
【０００８】
請求項４に記載の発明は、支持部材と、前記支持部材との間に外部から遮蔽された空間が形成されるように配置され、前記支持部材の表面から突出する凸部を有するパッドと、前記支持部材と前記パッドとにより形成される空間内に配置される振動部材と、前記支持部材と前記パッドとを固着する結合部材とを備える美容器具の製造方法において、前記支持部材、前記パッド、および、前記振動部材をインサート成形金型内に配置する配置工程と、前記インサート成形金型を閉じた状態で、当該インサート成形金型内に溶融した樹脂を注入することにより前記結合部材を形成する形成工程とを備えることを特徴とする。
【発明の効果】
【０００９】
請求項１に記載の発明によれば、支持部材とパッドとをインサート成形金型内に配置した後、インサート成形金型内に樹脂を注入することにより形成された、支持部材とパッドとを固着する結合部材を備えることから、支持部とパッドとにより形成される空間内への流動体の流入を防止でき、液密性を担保することが可能となる。このため、支持部材とパッドとにより形成される空間内に配置される振動部材の損傷を防止することが可能となる。
【００１０】
請求項２に記載の発明によれば、振動部材が超音波振動子であることから、超音波振動子自体の高い耐久性を必要とせず、低コストで製造することが可能となる。
【００１１】
請求項３に記載の発明によれば、支持部材における結合部材との接触面に凹部または凸部が形成されることから、支持部材が金属材料であっても、支持部材と結合部材との結合性を高めることが可能となる。
【００１２】
請求項４に記載の発明によれば、支持部材、パッド、および、振動部材をインサート成形金型内に配置する配置工程と、インサート成形金型を閉じた状態で、当該インサート成形金型内に溶融した樹脂を注入することにより結合部材を形成する形成工程とを備えることから、支持部とパッドとにより形成される空間内への流動体の流入を防止できる程度の液密性を担保することが可能となる美容器具を製造することができる。このため、支持部とパッドとにより形成される空間内に配置される振動部材の損傷を防止することが可能となる美容器具を製造することができる。
【発明を実施するための最良の形態】
【００１３】
以下、この発明の第１実施形態を、図面に基づいて説明する。
【００１４】
図１および図２は、この発明の第１実施形態に係る美容器具を示す説明図である。なお、図１（ａ）はその正面を、図１（ｂ）はその下側側面を、図２（ａ）はその裏面を、図２（ｂ）はその左側側面を、図２（ｃ）はその右側側面を、それぞれ示している。
【００１５】
また、図３は、図１（ａ）におけるＡ−Ａ断面を示す断面図である。
【００１６】
この発明の第１実施形態に係る美容器具は、人体に当接させて人体に対して振動を付与することにより美容効果を奏せしめるものである。この美容器具は、支持部材１０と、支持部材１０の表面から突出する凸部２１を有するパッド２０と、支持部材１０とパッド２０とを固着する結合部材３０とを備える。このパッド２０は、支持部材１０との間に外部から遮蔽された空間６０が形成されるように配置される。そして、この美容器具は、さらに、支持部材１０とパッド２０とにより形成された空間６０内に配置される振動部材としての超音波振動子４０および超音波振動子４０の温度を測定するための温度センサ８０を備える。これらの超音波振動子４０および温度センサ８０は、図示しない電気供給部および制御部に電線を介して接続される。
【００１７】
図４は、この発明の第１実施形態に係る美容器具における支持部材１０を示す説明図である。なお、図４（ａ）はその正面を、図４（ｂ）はその下側側面を、図４（ｃ）は図４（ａ）におけるＢ−Ｂ断面を、図４（ｄ）はその裏面を、それぞれ示している。
【００１８】
支持部材１０は、例えばチタン等の金属材料からなる。この支持部材１０における、結合部材３０との接触面には凹部１１と、正面側には空間６０内に配設される電線を外部の衝撃等から保護する保護部１２と、外周部にはパッド２０と係合して位置決めするための位置決め部１３とが、それぞれ形成される。
【００１９】
図５は、この発明の第１実施形態に係る美容器具におけるパッド２０を示す説明図である。なお、図５（ａ）はその正面を、図５（ｂ）はその下側側面を、図５（ｃ）は図５（ａ）におけるＣ−Ｃ断面を、それぞれ示している。
【００２０】
パッド２０は、支持部材１０と結合したときに支持部材１０の表面から突出する凸部２１を有する。このパッド２０の凸部２１内面には、超音波振動子４０が付設される。このため、超音波振動子４０による振動がパッド２０に伝播する効率を高めることができる。また、パッド２０の凸部２１内面には、さらに温度センサ８０が付設される。この温度センサ８０は、超音波振動子４０の温度を計測するためのものである。温度センサ８０により計測された温度データは、電線を介して制御部に送られる。なお、この制御部は、温度センサ８０により測定された温度が所定以上になると、超音波振動子４０の振動を停止させ、温度センサ８０により測定された温度が所定以下になると、超音波振動子４０を再び振動させるように設定されている。
【００２１】
図６乃至図８は、この発明の第１実施形態に係る美容器具を製造する工程を示す説明図である。なお、図６は組合せ工程を、図７は配置工程を、図８は形成工程を示している。
【００２２】
また、図９は、この発明の第１実施形態に係る美容器具を製造する工程を示すフローチャートである。
【００２３】
この発明の第１実施形態に係る美容器具を製造するときには、まず、図６に示すように、超音波振動子４０および温度センサ８０を付設したパッド２０の外周部が支持部材１０における位置決め部１３と係合するように、支持部材１０とパッド２０とを組み合わせる（ステップＳ１）。このとき、超音波振動子４０および温度センサ８０は電線を介して図示しない電気供給部および制御部と接続されている。
【００２４】
次に、図７に示すように、ステップＳ１において組み合わされた支持部材１０、パッド２０、および、超音波振動子４０を下部金型７１および上部金型７２からなるインサート成形金型内に配置する（ステップＳ２）。
【００２５】
そして、図８に示すように、インサート成形金型を閉じた状態で、当該インサート成形金型内に溶融した樹脂を注入する。この溶融した樹脂の注入により、結合部材３０を形成する（ステップＳ３）。このとき、インサート成形金型内に注入される溶融した樹脂が支持部材１０に形成される凹部１１に流入する。このため、支持部材１０と結合部材３０との接触面積を大きくすることができる。これにより、支持部材１０が樹脂材料との間での結合性が弱いとされる金属材料からなる場合であっても、支持部材１０と結合部材３０との結合性を高めることが可能となる。
【００２６】
ステップＳ３において、インサート成形金型内に注入された樹脂が固化すると、インサート成形金型を開けて、美容器具を取出す（ステップＳ４）。
【００２７】
この美容器具は、結合部材３０の固化時に当該結合部材３０の体積が収縮することから、支持部材１０とパッド２０とを強固に固着することができる。そして、このようにして製造される美容器具は、結合部材３０が支持部材１０とパッド２０とを固着するため、支持部材１０とパッド２０とにより形成される空間６０内への流動体の流入を防止できる程度の液密性を担保することが可能となる。このため、支持部材とパッドとにより形成される空間内に配置される振動部材の損傷を防止することが可能となる。そして、超音波振動子自体の高い耐久性を必要とせず、低コストで製造することが可能となる。
【００２８】
このような美容器具を使用するときには、まず、人体に美容処理剤を塗布する。そして、美容処理剤が塗布された人体に美容器具を当接させる。この状態で、美容器具における超音波振動子４０を作動させて、人体に対して振動を付与する。これにより、人体に美容効果を奏せしめることが可能となる。
【００２９】
次に、この発明の他の実施の形態について図面に基づいて説明する。
【００３０】
図１０は、この発明の第２実施液体に係る美容器具を示す横断面図である。
【００３１】
この発明の第１実施形態に係る美容器具は、支持部材１０とパッド２０とにより形成される空間６０内に超音波振動子４０および温度センサ８０のみが配置されているが、この発明の第２実施形態に係る美容器具は、当該空間６０内にはさらに超音波振動子４０への電気供給等を制御する配電盤５０が配置される。このため、この発明の第２実施形態に係る美容器具によれば、配電盤５０の美容器具外部における配置スペースを省略することができる。
【００３２】
なお、先に説明した実施形態においては、振動部材として超音波振動子４０を使用しているが、超音波振動子４０を使用する代わりにバイブレーションモータ等の振動部材を使用してもよい。また、振動部材を備えるだけでなく、低周波や中周波の電流を付与する機能を備えてもよい。この場合には、パッド２０を電線を介して低周波や中周波の発生源と接続すればよい。
【００３３】
また、先に説明した実施形態においては、単一の超音波振動子４０を備えているが、複数の超音波振動子４０を備えてもよい。
【００３４】
また、先に説明した実施形態においては、温度センサ８０を備えているが、これを省略してもよい。
【００３５】
また、先に説明した実施形態においては、支持部材１０における結合部材３０との接触面に凹部１１が形成されているが、凹部１１を形成する代わりに凸部を形成してもよい。
【図面の簡単な説明】
【００３６】
【図１】この発明の第１実施形態に係る美容器具を示す説明図である。
【図２】この発明の第１実施形態に係る美容器具を示す説明図である。
【図３】図１（ａ）におけるＡ−Ａ断面を示す断面図である。
【図４】この発明の第１実施形態に係る美容器具における支持部材１０を示す説明図である。
【図５】この発明の第１実施形態に係る美容器具におけるパッド２０を示す説明図である。
【図６】この発明の第１実施形態に係る美容器具を製造する工程を示す説明図である。
【図７】この発明の第１実施形態に係る美容器具を製造する工程を示す説明図である。
【図８】この発明の第１実施形態に係る美容器具を製造する工程を示す説明図である。
【図９】この発明の第１実施形態に係る美容器具を製造する工程を示すフローチャートである。
【図１０】この発明の第２実施形態に係る美容器具を示す横断面図である。
【符号の説明】
【００３７】
１０    支持部材
１１    凹部
１２    保護部
１３    位置決め部
２０    パッド
２１    凸部
３０    結合部材
４０    超音波振動子
５０    配電盤
６０    空間
７１    下部金型
７２    上部金型
【図１】
2006068381.tif 000003
【図２】
2006068381.tif 000004
【図３】
2006068381.tif 000005
【図４】
2006068381.tif 000006
【図５】
2006068381.tif 000007
【図６】
2006068381.tif 000008
【図７】
2006068381.tif 000009
【図８】
2006068381.tif 000010
【図９】
2006068381.tif 000011
【図１０】
2006068381.tif 000012